(57)【要約】【課題】ブロック材の目地部から排水することのできる目地構造を提供する。【解決手段】縁石ブロック１７の隙間１７ａに充填された多数の硬質球体１によって透水性の目地部１９を形成するようにしたので、人工芝１０に浸透した雨水を下方への流下だけでなく縁石ブロック１７の目地部１９を介して外部に排水することができ、集中豪雨等により瞬間的に大量の雨が降った場合でも、人工芝１０における雨水の滞留を抑制することができる。この場合、目地部１９には、互いに外面を点接触させた硬質球体１間にほぼ一定の大きさの空隙Ａが形成されるので、雨水を目地部１９に均一に流通させることができ、効率よく排水することができる。また、硬質球体１には角部がないため、例えば砕石を用いた場合のように砕石の角部や砕粒による隙間の閉塞を生ずることがなく、硬質球体１間の空隙率を低下させることがないという利点がある。【選択図】図５
2020125637.tif 000002
【特許請求の範囲】
【請求項１】
互いに隙間をおいて配置されるブロック材の目地構造において、
前記ブロック材の隙間に充填された多数の硬質球体によって透水性の目地部を形成した
ことを特徴とする目地構造。
【請求項２】
前記目地部は、硬質球体を互いに固結させることによって形成される
ことを特徴とする請求項１記載の目地構造。
【請求項３】
前記目地部は、液状の固結剤と混合された硬質球体をブロック材の隙間に充填し、固結剤を硬化させることによって形成される
ことを特徴とする請求項２記載の目地構造。
【請求項４】
前記目地部は、ブロック材の隙間に充填された硬質球体に液状の固結剤を注入し、固結剤を硬化させることによって形成される
ことを特徴とする請求項２記載の目地構造。
【請求項５】
前記硬質球体として、直径０．８ｍｍ以上１．２ｍｍ以下の硬質球体を用いた
ことを特徴とする請求項１、２、３または４記載の目地構造。
【請求項６】
前記硬質球体を人工珪砂によって形成した
ことを特徴とする請求項１、２、３、４または５記載の目地構造。
【請求項７】
前記ブロック材は縁石ブロックである
ことを特徴とする請求項１、２、３、４、５または６記載の目地構造。
【請求項８】
前記ブロック材は舗装ブロックである
ことを特徴とする請求項１、２、３、４、５または６記載の目地構造。
【発明の詳細な説明】
【技術分野】
【０００１】
本発明は、例えば縁石ブロック、舗装ブロック等のブロック材の隙間に形成される目地構造に関するものである。
【背景技術】
【０００２】
従来、例えば各種運動施設のグランドに敷設される人工芝としては、合成樹脂製のパイルが植設されたシート状の基材をアスファルト等の透水性の下地層の上に設置し、基材上のパイル間に細かい砂や珪砂、またはこれらにゴムチップを混合してなる充填物を充填したものが知られている（例えば、特許文献１参照）。
【０００３】
前記下地層は、砕石や栗石等を敷き詰めた透水構造の基礎地盤の上に、透水性のアスファルトまたは透水性のコンクリートが形成される。このような構造の人工芝グランドでは、雨や散水等の水分が人工芝の基材を通じて下地層から基礎地盤へと浸透して排水されるので、水はけが良く、コンディションの管理が容易となる。
【０００４】
前記人工芝の端縁には横長のコンクリーロブロックからなる縁石ブロックが配置され、縁石ブロックによってグランドとその外部との境界部分が形成されている。縁石ブロックは人工芝の端縁に沿って配列され、縁石ブロック間の目地にはモルタルが充填されている（例えば、特許文献２参照）。
【０００５】
また、歩道や広場等の舗装には、美観に優れたブロック舗装が多く用いられている。このブロック舗装としては、砂等の下地層の上に舗装ブロックを敷き並べるとともに、舗装ブロック間の目地に砂やモルタルを充填したものが知られている（例えば、特許文献３参照）。
【先行技術文献】
【特許文献】
【０００６】
【特許文献１】特開平６−１９３０１０号公報
【特許文献２】実開平７−３１９１３号公報
【特許文献３】特開２０００−２７３４４１号公報
【発明の概要】
【発明が解決しようとする課題】
【０００７】
ところで、前記人工芝グランドでは、人工芝から透水性の下地層を介して基礎地盤に排水するようになっているが、近年多発している集中豪雨等のように大量の雨が降ると、下地層から下方への排水だけでは迅速に排水することができず、人工芝に雨水の滞留が生ずる場合がある。このような場合、雨水の滞留により人工芝上での競技に支障を生ずるという問題点があった。
【０００８】
また、前記ブロック舗装では、舗装面の雨水を側溝や排水枡に流して排水するようにしているが、雨量が多いと水溜まりを生ずる場合があり、歩行者が誤って水溜まりに侵入して足や衣服を濡らすという問題点があった。
【０００９】
本発明は前記問題点に鑑みてなされたものであり、その目的とするところは、ブロック材の目地部から排水することのできる目地構造を提供することにある。
【課題を解決するための手段】
【００１０】
本発明は前記目的を達成するために、互いに隙間をおいて配置されるブロック材の目地構造において、前記ブロック材の隙間に充填された多数の硬質球体によって透水性の目地部を形成していることから、雨水がブロック材の目地部から排水される。この場合、互いに外面を点接触させた硬質球体間にほぼ一定の大きさの空隙が形成されることから、雨水が目地部に均一に流通するとともに、硬質球体には角部がないため、例えば砕石を用いた場合のように砕石の角部や砕粒による隙間の閉塞を生ずることがない。
【発明の効果】
【００１１】
本発明によれば、雨水をブロック材の目地部から排水することができるので、例えば人工芝グランドにおける縁石ブロックの目地構造や歩道等における舗装ブロックの目地構造に用いた場合、大量の雨が降っても人工芝における雨水の滞留や歩道の水溜まりの発生を抑制することができる。この場合、雨水を目地部に均一に流通させることができるので、効率よく排水することができるとともに、例えば砕石を用いた場合のように砕石の角部や砕粒による隙間の閉塞を生ずることがないので、硬質球体間の空隙率を低下させることがないという利点がある。
【図面の簡単な説明】
【００１２】
【図１】本発明の第１の実施形態を示す人工芝グランドの部分平面図
【図２】Ｘ−Ｘ線矢視方向断面図
【図３】縁石ブロックの斜視図
【図４】硬質球体の拡大図
【図５】雨水の流れを示す人工芝グランドの部分側面断面図
【図６】本発明の第２の実施形態を示すブロック舗装の部分平面図
【図７】Ｙ−Ｙ線矢視方向断面図
【図８】舗装ブロックの斜視図
【図９】雨水の流れを示すブロック舗装の部分側面断面図
【発明を実施するための形態】
【００１３】
図１乃至図５は本発明の第１の実施形態を示すもので、人工芝グランドに設けられた縁石ブロックの目地構造を示すものである。尚、本実施形態の目地構造には、後述する硬質球体１が用いられる。
【００１４】
同図に示す人工芝１０は、シート状の基材１１と、基材１１に植設されたパイル１２と、パイル１２の間に充填された充填物１３とからなり、地盤側に形成された下地層１４の上に敷設されている。
【００１５】
基材１１は、例えばポリプロピレン製の平織りまたは不織布の基布等によって形成され、排水用の多数の孔（図示せず）が等間隔で設けられた透水性を有するシート状の部材からなる。
【００１６】
パイル１２は、ナイロン、ポリアミド、ポリエチレンテレフタレート、ポリプロピレン、ポリ塩化ビニリデン等の合成樹脂からなるパイル糸を、タフティング等により基布１１に植毛したものが用いられる。この場合、例えば長さ１０ｍｍ〜３０ｍｍのパイル糸を複数本ずつ等間隔で配置することにより芝面が形成されている。
【００１７】
充填物１３は、細かい砂や珪砂、またはこれらにゴムチップを混合してなり、例えば長さ１０ｍｍ〜３０ｍｍのパイルに対して９割程度の高さまで充填される。
【００１８】
下地層１４は、砕石や栗石等を敷き詰めた透水構造の基礎地盤１５の上に、透水性のアスファルトを上面が平坦となるように施工することにより形成される。
【００１９】
以上の構成からなる人工芝を敷設する場合は、パイル１２が植設された基材１１を下地層１４の表面に設置し、基材１１上のパイル１２の間に充填物１３を充填する。この場合、充填物１３の重量により、下地層１４上に置敷き施工が可能である。
【００２０】
また、前記人工芝１０の外部は透水性のアスファルトからなる舗装路面層１６が基礎地盤１５の上に形成されており、舗装路面層１６と人工芝１０との境界部分には縁石ブロック１７が設けられている。
【００２１】
縁石ブロック１７は横長の直方体状に形成された周知のコンクリート製のブロック材からなり、舗装路面層１６と人工芝１０との境界部分に沿って長手方向に配列されている。縁石ブロック１７の長手方向の端面間には隙間１７ａが設けられており、隙間１７ａの大きさＳ1 は、例えば３ｍｍ以上３０ｍｍ以下が好ましい。また、縁石ブロック１７は、基礎地盤１５に打設されたモルタルからなる基礎部１８によって下端側を支持されるように固定され、その上面が人工芝１０の上面とほぼ同等の高さになるように配置されている。更に、縁石ブロック１７の両側面には下地層１４と舗装路面層１６の端面がほぼ同等の高さ位置で配置されている。
【００２２】
縁石ブロック１７の隙間１７ａは目地部１９によって閉塞されており、目地部１９は隙間１７ａに充填された多数の硬質球体１を互いに固結剤によって固結させることにより形成されている。硬質球体１には、表面に焼き付け塗装が施された直径０．８ｍｍ以上１．２ｍｍ以下の真球に近い球形の人工珪砂が用いられ、このような球形の人工珪砂は、例えば特開２００６−３３４６１２号公報、特許第３２５３５７９号公報等に記載された加工技術を用いて製造することができる。硬質球体１としては、砕石や珪砂等の天然石よりも硬度の高いものが好ましい。
【００２３】
目地部１９は、液状の固結剤と混合された硬質球体１を縁石ブロック１７の隙間１７ａに充填し、固結剤を硬化させることによって形成され、固結剤としては、例えば周知のバインダー樹脂等の固結剤が用いられる。
【００２４】
前述のようにして形成された目地部１９には、互いに外面を点接触する硬質球体１間にほぼ一定の大きさの空隙Ａが形成される。即ち、同一径の球体を敷き詰めたときの最密充填は、いわゆる六方最密充填構造となり、立方体における球体の充填率φは７４％（＝√２π／６）となる。これにより、立方体における空隙率ε（１００−φ）は２６％となり、目地部１９では２６％の空隙Ａが確保される。
【００２５】
以上のように構成された人工芝グランドにおいては、図５に示すように降雨により雨水が人工芝１０に浸透すると、図中実線矢印で示すように雨水が人工芝１０の基材１１を通じて下地層１４から基礎地盤１５へと下方に流下して排水される。また、集中豪雨等により瞬間的な雨量が著しく多い場合には、雨水は下方への流下だけでなく縁石ブロック１７の目地部１９を介して外部の舗装路面層１６側に排水される。その際、目地部１９の雨水は硬質球体１間の空隙Ａを流通する。
【００２６】
このように、本実施形態によれば、縁石ブロック１７の隙間１７ａに充填された多数の硬質球体１によって透水性の目地部１９を形成するようにしたので、人工芝１０に浸透した雨水を下方への流下だけでなく縁石ブロック１７の目地部１９を介して外部に排水することができ、集中豪雨等により瞬間的に大量の雨が降った場合でも、人工芝１０における雨水の滞留を抑制することができる。これにより、降雨の中でも雨水の滞留による競技への支障を少なくすることができるとともに、雨水の滞留により競技が中断した場合でも、雨水の滞留を速やかに解消して競技再開までの時間を短縮することができる。
【００２７】
また、目地部１９には、互いに外面を点接触させた硬質球体１間にほぼ一定の大きさの空隙Ａが形成されるので、雨水を目地部１９に均一に流通させることができ、効率よく排水することができる。この場合、硬質球体１には角部がないため、例えば砕石を用いた場合のように砕石の角部や砕粒による隙間の閉塞を生ずることがなく、硬質球体１間の空隙率を低下させることがないという利点がある。
【００２８】
更に、液状の固結剤と混合された硬質球体１を縁石ブロック１７の隙間に充填し、固結剤を硬化させることによって目地部１９を形成するようにしたので、従来のモルタルと同様の充填作業により目地部１９を形成することができ、施工時の作業性を低下させることがないという利点がある。
【００２９】
また、硬質球体１に直径０．８ｍｍ以上１．２ｍｍ以下の硬質球体を用いたので、透水性を確保しつつ施工を容易に行うことができる。即ち、硬質球体１の直径が０．８ｍｍよりも小さいと、空隙Ａに目詰まりを生じやすくなるため、硬質球体１の直径を０．８ｍｍ以上とすることにより、目詰まりを防止して硬質球体１間に十分な空隙Ａを確保することができる。また、硬質球体１の直径が１．２ｍｍよりも大きいと、硬質球体１同士の接点が少なくなって固結強度が不十分になるとともに、空隙Ａに異物が侵入しやすくなるため、硬質球体１の直径を１．２ｍｍ以上とすることにより、硬質球体１の固結強度を十分に確保し、空隙Ａへの異物の侵入を防止することもできる。
【００３０】
この場合、硬質球体１に人工珪砂からなる硬質球体を用いることにより、真球に近い微小球体を容易に得ることができるので、目地部１９を低コストに形成することができる。
【００３１】
図６乃至図９は本発明の第２の実施形態を示すもので、歩道等に用いられる舗装ブロックの目地構造を示すものである。尚、本実施形態の目地構造には、前記実施形態と同等の硬質球体１が用いられる。
【００３２】
同図に示すブロック舗装２０は、砕石や栗石等を敷き詰めた透水構造の基礎地盤２１の上に、砂等の透水性の下地層２２を形成し、下地層２２の上に舗装ブロック２３を敷き並べることにより形成されている。
【００３３】
舗装ブロック２３は直方体状に形成された周知のコンクリート製のブロック材からなり、互いに隙間２３ａをおいて水平方向に並べて配置されている。この場合、隙間２３ａの大きさＳ2 は、例えば３ｍｍ以上３０ｍｍ以下が好ましい。舗装ブロック２３の隙間２３ａは目地部２４によって閉塞されており、前記実施形態と同様、目地部２４は隙間２３ａに充填された多数の硬質球体１を互いに固結剤によって固結させることにより形成されている。尚、硬質球体１の大きさ及び材質は前記実施形態と同様であり、硬質球体１間には前記実施形態と同様の空隙Ａが形成される。
【００３４】
目地部２４は、前記実施形態と同様、液状の固結剤と混合された硬質球体１を舗装ブロック２３の隙間２３ａに充填した後、固結剤を硬化させることによって形成するようにしてもよいが、舗装ブロック２３の隙間２３ａに充填された硬質球体１に液状の固結剤を注入し、固結剤を硬化させることによって形成するようにすれば、硬質球体１の充填作業と固結剤の注入作業とをそれぞれ別工程で行うことができる。固結剤としては、例えば周知のバインダー樹脂等の固結剤が用いられる。
【００３５】
以上のように構成されたブロック舗装においては、図９に示すように降雨により雨水がブロック舗装２０に落下すると、図中実線矢印で示すように雨水が舗装ブロック２３の隙間２３ａに流入し、目地部２４を介して下地層２２から基礎地盤２１へと排水される。その際、目地部２４の雨水は硬質球体１間の空隙Ａを流通する。
【００３６】
このように、本実施形態によれば、舗装ブロック２３の隙間２３ａに充填された多数の硬質球体１によって透水性の目地部２４を形成するようにしたので、雨水を舗装ブロック２３上に滞留させることなく舗装ブロック２３の目地部２４を介して下方（地中）に速やかに排水することができる。これにより、豪雨や長雨でもブロック舗装２０に水溜まりを生ずることがなく、水溜まりへの侵入によって歩行者の足や衣服を濡らすことがないという利点がある。
【００３７】
尚、前記実施形態では、硬質球体１を固結剤によって互いに固結させるようにしたものを示したが、硬質球体１を固結させることなく隙間２３ａに充填するようにしてもよい。これにより、例えばインターロッキングブロック舗装の目地に充填される砂に代えて硬質球体１を充填することにより、ブロック相互のかみ合わせ効果（荷重分散効果）が得られるとともに、硬質球体１の目地による透水効果を得ることができる。
【００３８】
また、前記実施形態の目地構造は、歩道、広場、公園、建築外構、住居や施設の中庭やエントランス、浴場の床、プールサイド等、ブロック材の目地構造として広く用いることができる。
【符号の説明】
【００３９】
１…硬質球体、１０…人工芝、１７…縁石ブロック、１７ａ…隙間、１９…目地部、２０…ブロック舗装、２３…舗装ブロック、２３ａ…隙間、２４…目地部。
【図１】
2020125637.tif 000003
【図２】
2020125637.tif 000004
【図３】
2020125637.tif 000005
【図４】
2020125637.tif 000006
【図５】
2020125637.tif 000007
【図６】
2020125637.tif 000008
【図７】
2020125637.tif 000009
【図８】
2020125637.tif 000010
【図９】
2020125637.tif 000011